(57)【要約】【課題】  浴槽のフランジの下方に取付ける洗浄装置から周囲に飛散するような液漏れが生じても、飛散防止シートで周囲への飛散を防止し、排水トレイで確実に受けて排水することができる。【解決手段】  浴槽１のフランジ２の下面側に取付けられる洗浄装置３の下方に洗浄装置３からの漏液を受けて排水するための排水トレイ４を配置する。フランジ２の下面付近から排水トレイ４にかけて洗浄装置３の側方周囲を飛散防止シート５で囲う。【選択図】        図１
2011045508.tif 000002
【特許請求の範囲】
【請求項１】
浴槽のフランジの下面側に取付けられる洗浄装置の下方に洗浄装置からの漏液を受けて排水するための排水トレイを配置した浴槽裏側における洗浄装置の液受け構造であって、フランジの下面付近から排水トレイにかけて洗浄装置の側方周囲を飛散防止シートで囲って成ることを特徴とする浴槽裏側における洗浄装置の液受け構造。
【請求項２】
飛散防止シートの両側端が離れて両側端間が開いて拡がることが可能なように飛散防止シートの上端縁部のうち一方の側端側を吊り金具に取付け、該飛散防止シートを取付けた吊り金具を浴槽のフランジの下面側に設けたベース金具に取付け、浴槽のフランジの下面側に洗浄装置を取付けると共に浴槽のエプロンに排水トレイの排水管を貫通固定して排水トレイを洗浄装置の直下に配置し、上記飛散防止シートの上端縁部のうち他方の側端側を吊り金具またはフランジ下面に着脱自在に取付けて、飛散防止シートで洗浄装置の側方周囲を囲むと共に、飛散防止シートの両側端の隙間を閉じて成ることを特徴とする請求項１記載の浴槽裏側における洗浄装置の液受け構造。
【発明の詳細な説明】
【技術分野】
【０００１】
本発明は、浴槽裏側における洗浄装置の液受け構造に関するものである。
【背景技術】
【０００２】
従来から、浴槽のフランジの下面側（つまり浴槽裏側）に洗浄装置を取付けるものが特許文献１により知られている。
【０００３】
この特許文献１に示された浴槽裏側に取付けられる洗浄装置は、液状の洗剤を溜める洗剤タンクと、洗剤タンクに洗剤を補充するための洗剤入れ部と、洗剤を吐出する吐出部と、洗剤タンク内の洗剤を吐出部に圧送するための圧送部とを備えたもので、上記洗剤入れ部と、吐出部を浴槽のフランジに設けた取付け孔にそれぞれ嵌挿して固着することで、フランジ下面側に洗浄装置を取付けていた。そして、洗剤入れ部には着脱自在な蓋が設けてあり、該蓋を外してフランジの上方から液状の洗剤を入れるようになっており、また、吐出部には弁が設けてあり、先端に吐出ノズルを有する吐出ホースの後端の接続部を上記吐出部に嵌め込むことで、弁を開くようになっており、この状態で、圧送部を運転することで、洗剤タンク内の液状の洗剤を圧送して吐出部、接続部、吐出ホースを経て先端の吐出ノズルから浴室内の浴槽、壁、床等に吐出するようになっている。また、接続部を外すと弁が閉じて吐出部から洗剤が吐出しないようになっている。
【０００４】
ところが、上記のような浴槽裏側における洗浄装置は、配管の接続部分、洗剤タンク、ポンプなどを備えた圧送部などから液漏れが生じるおそれがあり、浴槽の下に床パンが無いいわゆる床ハーフタイプのものにおいては、浴槽の下方のスラブなどに液状の洗剤が流下してしまうという問題がある。
【０００５】
一方、浴槽に接続する配管の接続部分からの水漏れが生じてスラブ等に水が流下しないように、浴槽の裏面側において上記配管の接続部分の真下に排水トレイを配置して接続部から漏れた水を排水トレイで受けて排水するようにしたものが特許文献２により知られている。
【０００６】
ところが、この特許文献２に示された従来例にあっては、下方に落下した水は排水トレイで受けることができるが、接続部から周囲に水が飛散するように漏れる場合は周囲に飛び散ってスラブを濡らしてしまうと言う問題がある。
【０００７】
ここで、特許文献２のような排水トレイを特許文献１に適用して、特許文献１の洗浄装置の真下に排水トレイを配置することが考えられるが、この場合も、洗浄装置の配管の接続部分、洗剤タンク、ポンプなどを備えた圧送部などから液状の洗剤が周囲に飛散するように液漏れした場合は、周囲に飛び散ってスラブを濡らしてしまうと言う問題がある。
【先行技術文献】
【特許文献】
【０００８】
【特許文献１】特開２００８−１５４６０８号公報
【特許文献２】特開平１０−１４８４０３号公報
【発明の概要】
【発明が解決しようとする課題】
【０００９】
本発明は上記の従来の問題点に鑑みて発明したものであって、浴槽のフランジの下方に取付ける洗浄装置から周囲に飛散するような液漏れが生じても、飛散防止シートで周囲への飛散を防止し、排水トレイで確実に受けて排水することができ、また、飛散防止シートで洗浄装置の側方周囲を囲んで飛散防止をする構成にしたといえども、洗浄装置の取付け、取付け後の保守、点検等が飛散防止シートに邪魔されず容易に行なえる浴槽裏側における洗浄装置の液受け構造を提供することを課題としている。
【課題を解決するための手段】
【００１０】
上記課題を解決するために、本発明は、以下のような構成になっている。
【００１１】
本発明の浴槽裏側における洗浄装置の液受け構造は、浴槽１のフランジ２の下面側に取付けられる洗浄装置３の下方に洗浄装置３からの漏液を受けて排水するための排水トレイ４を配置したものである。本発明の特徴は、フランジ２の下面付近から排水トレイ４にかけて洗浄装置３の側方周囲を飛散防止シート５で囲って成ることである。
【００１２】
このような構成とすることで、浴槽１のフランジ２下面側に取付けた洗浄装置３から周囲に飛散するような液漏れが生じた場合、飛散防止シート５で周囲への飛散を防止して下方の排水トレイ４に流すことができる。
【００１３】
また、飛散防止シート５の両側端が離れて両側端間が開いて拡がることが可能なように飛散防止シート５の上端縁部のうち一方の側端側を吊り金具６に取付け、該飛散防止シート５を取付けた吊り金具６を浴槽１のフランジ２の下面側に設けたベース金具７に取付け、浴槽１のフランジ２の下面側に洗浄装置３を取付けると共に浴槽１のエプロン８に排水トレイ４の排水管９を貫通固定して排水トレイ４を洗浄装置３の直下に配置し、上記飛散防止シート５の上端縁部のうち他方の側端側を吊り金具６またはフランジ２下面に着脱自在に取付けて、飛散防止シート５で洗浄装置３の側方周囲を囲むと共に、飛散防止シート５の両側端の隙間を閉じることが好ましい。
【００１４】
このような構成とすることで、浴槽１のフランジ２の下面側に洗浄装置３を取付ける際は、飛散防止シート５の両側端を離して両側端間を開いて拡げた状態で、飛散防止シート５に邪魔されることなくフランジ２の下面側に洗浄装置３を取付けることができる。洗浄装置３の取付けが終了すると、飛散防止シート５の上端縁部のうち他方の側端側を吊り金具６またはフランジ２下面に着脱自在に取付けて、飛散防止シート５の両側端の隙間を閉じることで、簡単に飛散防止シート５で洗浄装置３の側方周囲を囲んで、周囲への飛散を防止できる。また、洗浄装置３の保守、点検にあたっては、飛散防止シート５の上端縁部のうち一方の側端側の取付けのみを解除せずに上端縁部の他方の側端側の取付けを外すことで、飛散防止シート５の両側端を離して両側端間を開き、洗浄装置３を露出させることができ、飛散防止シート５に邪魔されることなく洗浄装置３の保守、点検ができる。
【発明の効果】
【００１５】
本発明は、上記のように、フランジの下面付近から排水トレイにかけて洗浄装置の側方周囲を飛散防止シートで囲うので、浴槽のフランジ下面側に取付けた洗浄装置から周囲に飛散するような液漏れが生じても、側方の周囲を囲む飛散防止シートで周囲への飛散を防止して下方の排水トレイに流すことができ、スラブなどが液漏れにより濡れるのを防止することができる。
【００１６】
また、本発明は、上記のように、洗浄装置の周囲を飛散防止シートで囲って洗浄装置から周囲に飛散するような液漏れが生じた場合の飛散を防止するような構造のものにおいて、飛散防止シートに邪魔されることなく、洗浄装置のフランジ下面側への取付け、取付け後の洗浄装置の保守、点検が容易に行なえる。
【図面の簡単な説明】
【００１７】
【図１】本発明の斜視図である。
【図２】同上の断面図である。
【図３】同上の取付け順序を示す斜視図である。
【図４】同上の取付け順序を示す斜視図である。
【発明を実施するための形態】
【００１８】
以下、本発明を添付図面に示す実施形態に基づいて説明する。
【００１９】
本発明は、床パンとして洗い場側床パン１０のみを設け、浴槽１の下方には浴槽側床パンを設けないいわゆる床ハーフタイプの浴槽装置を対象としている。
【００２０】
すなわち、浴槽装置は、洗い場側床パン１０と、洗い場側床パン１０の一側端部から立ち上がるエプロン８と、フランジ２の一端部を上記エプロン８の上端部に重ねて配設される浴槽１と、該浴槽１が載設される架台１１と、図示を省略しているが、壁を構成する壁パネル、天井を構成する天井パネルを組み立てることで形成される。
【００２１】
エプロン８には開口部１２が設けてあり、該開口部１２には図示を省略しているが点検蓋が着脱自在に取付けられる。なお、エプロン８の外側、つまり洗い場側にはエプロン８に沿って化粧エプロンを取り外し自在に配設してもよい。
【００２２】
浴槽１のフランジ２のうち、エプロン８と直交する一方のフランジ２のエプロン８側の端部にあらかじめ平面視コ字状をしたベース金具７が固着してある。
【００２３】
また、図３に示すように、浴槽１のフランジ２の上記ベース金具７に囲まれた領域に対応する位置に、２個の取付け孔１４が形成してある。
【００２４】
吊り金具６は平面視環状をした枠体で、外側側片６ａと内側側片６ｂとの前端間及び後端間をそれぞれ前片６ｃ、後片６ｄで一体に連続して構成してある。この吊り金具６は上記ベース金具７内に嵌め込んで取付けることができる大きさとなっている。
【００２５】
この吊り金具６には予め浴槽１の外で飛散防止シート５の上端縁部のうち一方の側端側を吊り金具６に取付けてある。
【００２６】
飛散防止シート５は、一枚の防水シートよりなり、図３に示すように飛散防止シート５の上端縁部のうち一方の側端側を吊り金具６の、外側側片６ａと前片６ｃに沿って取付ける。ここで、飛散防止シート５の吊り金具６への取付けは、面状ファスナ、着脱ボタン、ジッパー、引掛け具等任意の取付け手段により着脱自在に取付ける。この場合、飛散防止シート５の上端縁部のうち他方の側端側は取付けないでフリーの状態としておく。また、飛散防止シート５の中間部は折り返して、その折り返した中間部の上端縁部は任意の接合手段で接合し、また、飛散防止シート５の上記折り返した中間部の下端縁部は任意の接合で接合して、防水シートの中間部分を袋状部５ａとしてもよい。この袋状部５ａは吊り金具６の後片６ｄよりも後方に突出する。また、添付図面の実施形態では上記袋状部５ａの下端縁は上記袋状部５ａの後方突出端部から離れるにしたがって下位置となるように下り傾斜している。
【００２７】
上記のように浴槽１外で飛散防止シート５の上端縁部のうち一方の側端側を取付けた吊り金具６をエプロン８には開口部１２から浴槽１のフランジ２の下方に入れ、吊り金具６をベース金具７内に嵌め込み、吊り金具６の前片６ｃをベース金具７のエプロン８側に位置する片にねじ具１３を用いて取付ける。これらの作業はエプロン８には開口部１２に手を差し込んで行なう。ここで、飛散防止シート５の上端縁部のうち他方の側端側は吊り金具６に取付てなくてフリーとなっているので、飛散防止シート５の他方の側端部側を一方の側端部側から離して、吊り金具６の内側側片６ｂの下方から奥側（エプロン８から離れる方向）に飛散防止シートの他方の側端部をめくって開くことができる。
【００２８】
このようにして、飛散防止シート５の他方の側端部側をめくって吊り金具６の内側側片６ｂの下方を飛散防止シート５のないオープン状態にし、エプロン８の開口部１２から洗浄装置３を入れて該洗浄装置３を浴槽１のフランジ２に取付ける。
【００２９】
洗浄装置３は、図２に示すように、液状の洗剤を溜める洗剤タンク１５の上面部に筒体よりなる洗剤入れ部１６を突設し、洗剤タンク１５の下面に洗剤タンク１５と接続用配管１８を介してポンプ３０を備えた圧送部１７を設け、圧送部１７の出口に別の吐出用配管１９を突出し、更に吐出用配管１９の上端部に筒状をした吐出部２０を取付けて構成してある。ここで、洗剤タンク１５は収納容量を増すため細長くなっており、圧送部１７は細長い洗剤タンク１５の下面の長手方向の一端部側に偏って取付けてある。なお、圧送部１７には更に空気を吸込んで洗剤中に気泡として取り込むためのエゼクター部３１が設けてある。
【００３０】
上記の構成の洗浄装置３のフランジ２への取付けは、図２に示すように、筒状をした洗剤入れ部１６と、筒状をした吐出部２０とをフランジ２に設けた取付け孔１４にナット等を用いて取付けるもので、筒状をした洗剤入れ部１６と、筒状をした吐出部２０をフランジ２に取付けることで、フランジ２の下面側に洗浄装置３が取付け支持されることになる。
【００３１】
なお、ここで吊り金具６に支持部３３を設けて洗浄装置３の一部を支持又は取付け手段で取付けるようにしてもよい。
【００３２】
これらの洗浄装置３の取付けは、フランジ２の上方からの作業と、下方からの作業となるが、フランジ２の下方からの作業に当たっては、上記のようにエプロン８の開口部１２から洗浄装置３を入れ、吊り金具６の内側側片６ｂの下方を飛散防止シート５のないオープン状態にして行なうのであるが、細長い洗剤タンク１５の先端部（つまり細長い洗剤タンク１５において下方に圧送部１７が存在しない部分）を飛散防止シート５の袋状部５ａに差込み、その後、上記筒状をした洗剤入れ部１６と、筒状をした吐出部２０とをフランジ２に設けた取付け孔１４に取付ける作業を行なう。ここで、上記袋状部５ａはエプロン８の開口部１２側に向けて開口しているので、細長い洗剤タンク１５の先端部を簡単に差し込むことができる。
【００３３】
このように洗浄装置３のフランジ２の下面側への取付けが終了すると、次に、エプロン８の開口部１２から排水トレイ４を入れて、排水トレイ４を洗浄装置３の直下、詳しくは洗浄装置３の上記飛散防止シート５の袋状部５ａに差し込んだ部位を除く部位の直下に配置して浴槽１のエプロン８に取付ける。
【００３４】
排水トレイ４は周囲に立ち上がり片を有する皿状をしており、底面部からＬ状をした排水菅９が突設してあり、この排水菅９をエプロン８に貫通して固定することで、排水トレイ４をエプロン８に取付けるようになっている。排水菅９の先端はエプロン８の洗い場側に開口する。
【００３５】
上記のようにして、洗浄装置３のフランジ２の下面側への取付け、排水トレイ４のエプロン８への取付けが終了すると、飛散防止シート５の上端縁部のうち未だ取付けていない他方の側端側を吊り金具６またはフランジ２下面に着脱自在に取付けて、飛散防止シート５で洗浄装置３の側方周囲を囲むと共に、飛散防止シート５の両側端の隙間を閉じる（図４参照）。この場合、飛散防止シート５の下端縁部のうち袋状部５ａの下端縁部の大部分を除いて排水トレイ４内に入れる。
【００３６】
吊り金具６またはフランジ２下面への飛散防止シート５の上端縁部のうち未だ取付けていない他方の側端側の取付けに当たっては、面状ファスナ、着脱ボタン、ジッパー、引掛け具等任意の取付け手段により着脱自在に取付ける。
【００３７】
上記のようにして飛散防止シート５による洗浄装置３の側方周囲を囲む作業が終了すると、エプロン８の開口部１２に点検蓋を取付けて塞ぐ。
【００３８】
フランジ２に取付けられた洗剤入れ部１６及び筒状をした吐出部２０にはそれぞれ蓋１６ａ、２０ａが着脱自在に取付けられる。
【００３９】
洗剤入れ部１６には蓋１６ａを外して液状の洗剤を入れるようになっている。
【００４０】
また、吐出部２０内には通常は閉じている弁２１が設けてあり、先端に吐出ノズルを有する吐出ホース２２の後端の接続部２３を上記吐出部２０に嵌め込むことで、弁２１を開くようになっており、この状態で、圧送部１７を運転することで、洗剤タンク１５内の液状の洗剤を圧送して吐出部２０、接続部２３、吐出ホース２２を経て先端の吐出ノズルから浴室内の浴槽１、壁、床等に吐出するようになっている。ここで、圧送部１７にエゼクター部３１を設けることで、圧送しようとする液状の洗剤中に空気を気泡として取り込み、吐出ノズルから微細気泡入り洗剤として吐出し、洗浄効果を向上させるようにしてある。
【００４１】
洗浄を行なわない場合は、接続部２３を吐出部２０から外し、吐出部２０に蓋２０ａを取付ける。接続部２３を吐出部２０から外すと、弁２１が自動的に閉じる。
【００４２】
ところで、万一、洗浄装置３の配管の接続部分、洗剤タンク１５、エゼクター部３１、ポンプ３０などを備えた圧送部１７から液漏れが生じた場合、周囲に飛散する液状の洗剤は、フランジ２の下面付近から排水トレイ４までの領域で洗浄装置３の側方周囲を囲んでいる飛散防止シート５で受けられて周囲への飛散が防止され、飛散防止シート５で受けられた液状の洗剤は飛散防止シート５の内面に沿って流下して排水トレイ４に流れ込む。この場合、実施形態では、飛散防止シート５の袋状部５ａの下端縁が下り傾斜しているので、袋状部５ａ内に飛散した液状の洗剤は袋状部５ａ内を上記下り傾斜した下端縁に沿って流下して排水トレイ４に流下する。したがって、飛散防止シート５と排水トレイ４との平面視における大きさの関係を、排水トレイ４を小さくして、平面視で袋状部５ａが排水トレイ４よりも飛び出すような関係であっても、袋状部５ａで内に飛散した液状の洗剤を確実に排水トレイ４に流下させることができる。
【００４３】
排水トレイ４に流れた液状の洗剤は、排水菅９を経て排水菅９の先端開口から洗い場側床パン１０に流れ、洗い場側床パン１０に設けた排水口２５から排水される。したがって、浴槽１を設置する建物のスラブ等に液状の洗剤が流れることはない。
【００４４】
フランジ２の下面側に取付けた上記洗浄装置３の保守、点検を行なう場合は、上記とは逆にエプロン８の開口部１２に取付けてある点検蓋を外し、開口部１２から手を入れて飛散防止シート５の上端縁部のうち一方の側端側の取付けのみを解除せずに上端縁部の他方の側端側の取付けを外すことで、飛散防止シート５の両側端を離して両側端間を開き、洗浄装置３を露出させることができる。したがって、飛散防止シート５に邪魔されることなく洗浄装置３の保守、点検ができる。
【００４５】
ここで、更に洗浄装置３を取り外して点検する必要がある場合は、エプロン８の開口部１２から手を入れて、上記洗浄装置３の取付けとは逆の順序で、飛散防止シート５に邪魔されることなく洗浄装置３を取り外すことができる。
【符号の説明】
【００４６】
１  浴槽
２  フランジ
３  洗浄装置
４  排水トレイ
５  飛散防止シート
６  吊り金具
７  ベース金具
８  エプロン
９  排水管
【図１】
2011045508.tif 000003
【図２】
2011045508.tif 000004
【図３】
2011045508.tif 000005
【図４】
2011045508.tif 000006